【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
符号化されたビデオビットストリームにおいて、イントラブロックコピー（ＢＣ）モードを使用して符号化されたビデオデータの符号化されたブロックを受信することと、
ビデオデータの前記符号化されたブロックに関連するブロックベクトル差分（ＢＶＤ）の第１の成分の第１の絶対値を復号することと、
ビデオデータの前記符号化されたブロックに関連する前記ＢＶＤの第２の成分の第２の絶対値を復号することと、
前記ＢＶＤの前記第１の成分のための第１の符号値を復号することと
を備え、
前記ＢＶＤの前記第２の成分のための第２の符号値が前記ビットストリームにおいて符号化されないとき、現在のピクチャの探索領域に対する所定のブロックベクトル予測子（ＢＶＰ）の位置に基づいて、前記ＢＶＤの前記第２の成分のための前記第２の符号値を推論することと、前記探索領域が、前記現在のブロックに対して予測ブロックとして利用可能であるビデオブロックのセットを備え、
前記ＢＶＤの前記第１の成分の前記復号された第１の絶対値と、前記ＢＶＤの前記第２の成分の前記復号された第２の絶対値と、前記ＢＶＤの前記第１の成分のための前記復号された第１の符号値と、前記ＢＶＤの前記第２の成分のための前記推論された第２の符号値とに基づいて、前記ＢＶＤを決定することと、
前記ＢＶＤと前記所定のＢＶＰとからブロックベクトルを決定することと、
前記ブロックベクトルを使用してビデオデータの前記ブロックを復号することと
によって特徴付けられる、方法。
【請求項２】
前記ＢＶＤの前記第１の成分が前記ＢＶＤのｘ成分であり、前記ＢＶＤの前記第２の成分が前記ＢＶＤのｙ成分であり、前記第２の成分のための前記第２の符号値を推論することは、前記ＢＶＤが予測され、前記ｘ成分の絶対値が０よりも大きい場合、前記ＢＶＤの前記ｙ成分の前記第２の符号値を推論することを備える、請求項１に記載の方法。
【請求項３】
前記ＢＶＤの前記第１の成分が前記ＢＶＤのｙ成分であり、前記ＢＶＤの前記第２の成分が前記ＢＶＤのｘ成分であり、前記第２の成分のための前記第２の符号値を推論することは、前記ＢＶＤが予測され、前記ｙ成分の絶対値が０よりも大きい場合、前記ＢＶＤの前記ｘ成分の前記第２の符号値を推論することを備える、請求項１に記載の方法。
【請求項４】
前記ＢＶＤの前記第１の成分の前記第１の絶対値を復号することは、
前記ＢＶＤの前記第１の成分の前記第１の絶対値に関連する第１のシンタックス要素を受信することと、
前記ＢＶＤの前記第１の成分の前記第１の絶対値がオフセットよりも大きいことを示す１つまたは複数のビデオコーディング特性に基づいて、前記第１のシンタックス要素の値が、前記第１の成分の前記第１の絶対値−前記オフセットを表すと推論することと、
前記オフセットに前記第１のシンタックス要素の前記値を加算することによって、前記第１の成分の前記第１の絶対値を決定することと、
を備える、請求項１に記載の方法。
【請求項５】
前記オフセットが、ビデオデータの前記符号化されたブロックの幅、またはビデオデータの前記符号化されたブロックの高さのうちの１つである、請求項４に記載の方法。
【請求項６】
前記オフセットが、ビデオデータの前記符号化されたブロックの幅の関数、またはビデオデータの前記符号化されたブロックの高さの関数である、請求項５に記載の方法。
【請求項７】
ビデオデータを復号するように構成された装置であって、前記装置は、
符号化されたビデオビットストリームにおいて、イントラブロックコピー（ＢＣ）モードを使用して符号化されたビデオデータの符号化されたブロックを受信するための手段と、
ビデオデータの前記符号化されたブロックに関連するブロックベクトル差分（ＢＶＤ）の第１の成分の第１の絶対値を復号するための手段と、
ビデオデータの前記符号化されたブロックに関連する前記ＢＶＤの第２の成分の第２の絶対値を復号するための手段と、
前記ＢＶＤの前記第１の成分のための第１の符号値を復号するための手段と
を備え、
前記ＢＶＤの第２の符号値が前記受信されたビットストリームにおいて符号化されないとき、前記ＢＶＤの前記第２の成分のための前記第２の符号値を推論するための手段と、現在のピクチャの探索領域に対する所定のブロックベクトル予測子（ＢＶＰ）の位置に基づいて、前記ＢＶＤの前記第２の成分のための前記第２の符号値を推論するように構成され、前記探索領域が、前記現在のブロックに対して予測ブロックとして利用可能であるビデオブロックのセットを備え、
前記ＢＶＤの前記第１の成分の前記復号された第１の絶対値と、前記ＢＶＤの前記第２の成分の前記復号された第２の絶対値と、前記ＢＶＤの前記第１の成分のための前記復号された第１の符号値と、前記ＢＶＤの前記第２の成分のための前記推論された第２の符号値とに基づいて、前記ＢＶＤを決定するための手段と、
前記ＢＶＤと前記所定のブロックベクトル予測子とからブロックベクトルを決定するための手段と、
前記ブロックベクトルを使用してビデオデータの前記ブロックを復号するための手段と
によって特徴付けられる、装置。
【請求項８】
前記ＢＶＤの前記第１の成分の前記第１の絶対値を復号するための前記手段は、
前記ＢＶＤの前記第１の成分の前記第１の絶対値に関連する第１のシンタックス要素を受信するための手段と、
前記ＢＶＤの前記第１の成分の前記第１の絶対値がオフセットよりも大きいことを示す１つまたは複数のビデオコーディング特性に基づいて、前記第１のシンタックス要素の値が、前記第１の成分の前記第１の絶対値−前記オフセットを表すと推論するための手段と、
前記オフセットに前記第１のシンタックス要素の前記値を加算することによって、前記第１の成分の前記第１の絶対値を決定するための手段と、
を備える、請求項７に記載の装置。
【請求項９】
前記ＢＶＤの前記第１の成分が前記ＢＶＤのｘ成分であり、前記ＢＶＤの前記第２の成分が前記ＢＶＤのｙ成分であり、前記第２の成分のための前記第２の符号値を推論するために、ビデオデコーダは、前記ＢＶＤが予測され、前記ｘ成分の絶対値が０よりも大きい場合、前記ＢＶＤの前記ｙ成分の前記第２の符号値を推論するように構成される、請求項７に記載の装置。
【請求項１０】
前記ＢＶＤの前記第１の成分が前記ＢＶＤのｙ成分であり、前記ＢＶＤの前記第２の成分が前記ＢＶＤのｘ成分であり、前記第２の成分のための前記第２の符号値を推論するために、ビデオデコーダは、前記ＢＶＤが予測され、前記ｙ成分の絶対値が０よりも大きい場合、前記ＢＶＤの前記ｘ成分の前記第２の符号値を推論するように構成される、請求項７に記載の装置。
【請求項１１】
前記ＢＶＤの前記第１の成分の前記第１の絶対値を復号するために、ビデオデコーダは、
前記ＢＶＤの前記第１の成分の前記第１の絶対値に関連する第１のシンタックス要素を受信することと、
前記ＢＶＤの前記第１の成分の前記第１の絶対値がオフセットよりも大きいことを示す１つまたは複数のビデオコーディング特性に基づいて、前記第１のシンタックス要素の値が、前記第１の成分の前記第１の絶対値−前記オフセットを表すと推論することと、
前記オフセットに前記第１のシンタックス要素の前記値を加算することによって、前記第１の成分の前記第１の絶対値を決定することと、
を行うように構成される、請求項７に記載の装置。
【請求項１２】
前記オフセットが、ビデオデータの前記符号化されたブロックの幅の関数、またはビデオデータの前記符号化されたブロックの高さの関数である、請求項１１に記載の装置。
【請求項１３】
ビデオデータを符号化する方法であって、前記方法は、
イントラブロックコピー（ＢＣ）モードで符号化されたビデオデータの現在のブロックに関連するブロックベクトル差分（ＢＶＤ）の第１の成分の第１の絶対値を符号化することと、ここにおいて、前記ＢＶＤが、ブロックベクトル予測子（ＢＶＰ）から前記現在のブロックのための予測ブロックへのベクトルであり、
ビデオデータの前記現在のブロックに関連する前記ＢＶＤの第２の成分の第２の絶対値を符号化することと、
前記ＢＶＤの前記第１の成分のための第１の符号値を符号化することと、
前記第１の絶対値、前記第２の絶対値、および前記第１の符号値のためのシンタックス要素を生成することと
を備え、
前記現在のブロックの隣接ブロックがＢＶＰとして使用されるために利用可能でないとき、所定のＢＶＤの前記第２の成分のための第２の符号値が１つの値に制限されるかどうかを決定すること、前記決定することは、前記所定のＢＶＰの位置を現在のピクチャの探索領域と比較することを備え、前記探索領域が、前記現在のブロックに対して予測ブロックとして利用可能であるビデオブロックのセットを備え、
前記ＢＶＤの前記第２の成分のための第２の符号値が１つの値に制限されるように決定されるとき、前記ＢＶＤの前記第２の成分のための第２の符号値を符号化しないこと、他の場合、
前記ＢＶＤの前記第２の成分のための前記第２の符号値を符号化すること
によって特徴付けられる、方法。
【請求項１４】
前記ＢＶＤの前記第１の成分の前記第１の絶対値を符号化することは、
前記第１の成分の前記第１の絶対値がオフセットよりも大きいことを示す１つまたは複数のビデオコーディング特性に基づいて、前記第１の絶対値から前記オフセットを減算すること、
を備える、請求項１３に記載の方法。
【請求項１５】
前記方法はワイヤレス通信デバイス上で実行可能であり、前記ワイヤレス通信デバイスが、
ビデオデータの前記符号化されたブロックを記憶するように構成されたデータ記憶媒体と、
前記データ記憶媒体に記憶されたビデオデータの前記ブロックを処理するための命令を実行するように構成されたプロセッサと、
ビデオデータの前記ブロックを受信するための受信機と、
を備える、請求項１乃至６、１３または１４のいずれか一項に記載の方法。